(57)【要約】【課題】簡単な操作で、例えば消火活動において制御することが有効である放水角と放水量とをそれぞれ制御することができるノズル装置を提供する。【解決手段】ノズル装置１は給水源から供給される水を給水する主流路を備えた給水手段１０と、給水手段１０から供給する水の流量を調節し、複数のノズルチップから主に消火用の放水を行う放水手段２０と、複数のノズルチップからの放水の中心軸線に対する放水角を制御する放水角制御手段３０と、を備えている。【選択図】図２
2020120982.tif 000002
【特許請求の範囲】
【請求項１】
給水源と接続され、給水源から供給される水を放水手段に給水する主流路を備えた給水手段と、
複数のノズルチップと、
前記給水手段から供給される水を前記ノズルチップから放水する放水手段と、
前記複数のノズルチップからの放水の放水角を制御する放水角制御手段と、
を備え、
前記放水手段は、
前記複数のノズルチップから選択されたノズルチップにより複数のノズルチップ群を形成し、各ノズルチップ群に連通する放水流路が前記給水手段に面して開口するように形成された第１のボディを備え、
前記放水手段を回動により操作する第１の操作部と、前記放水角制御手段を回動により操作する第２の操作部とが、前記給水手段の中心軸線の軸方向に配設され、それぞれが当該中心軸線を中心に独立で回動可能に構成されており、
前記中心軸線周りに前記第１の操作部を回動させることにより前記第１のボディを回動し、前記ノズルチップ群から前記主流路と連通するノズルチップ群を選択することにより、前記放水手段に供給する水の流量を調節可能であり、
前記中心軸線周りに前記第２の操作部を回動させることにより放水角を制御可能であることを特徴とする放水用ノズル装置。
【請求項２】
前記給水手段は、
前記給水源と接続され、給水の主流路を形成する給水部材と、
前記給水部材の射出側の端部に接続され、前記主通路と連通して前記各ノズルチップ群に対応して水を供給する給水流路が形成された第２のボディと、を備え、
前記放水手段は、
前記第１の操作部として、
一端に前記第１のボディが接続される筒状に形成され、前記第１のボディを前記中心軸線周りに回動可能に構成され、前記給水手段を覆って設けられる伝動部材と、
前記伝動部材の他端に係止し、前記伝動部材を回動させるための回動部材と、を備え、
前記給水手段及び前記放水手段は、
前記回動部材により前記伝動部材を回動させ、前記第１のボディの給水側の面を前記第２のボディの射出側の面に対して液密的に摺動して回動可能に構成され、
前記給水流路と連通する前記放水流路を選択することにより前記主流路に連通するノズルチップ群を選択可能に構成されていることを特徴とする請求項１に記載のノズル装置。
【請求項３】
前記回動部材は、前記伝動部材の他端に、回転方向に係止した状態で前記伝動部材に対して回動不可であり、前記中心軸線の射出側へ前進または給水側に後退可能に取り付けられており、
前記主流路に連通する所望のノズルチップ群を選択するために、前記回動部材の前進及び後退と回動とを組み合わせた操作の位置決めを行う位置決め部を備えたことを特徴とする請求項２に記載のノズル装置。
【請求項４】
前記複数のノズルチップ群は、前記複数のノズルチップを同心円状に配置し、同一の同心円上に配置されたノズルチップによりそれぞれ形成されていることを特徴とする請求項１ないし請求項３のいずれか１つに記載のノズル装置。
【請求項５】
前記放水角制御手段の前記第２の操作部による回動を各ノズルチップに伝達することにより、各ノズルチップの射出側の流路が前記中心軸線に対して傾斜する傾斜角を制御することを特徴とする請求項１ないし請求項４のいずれか１つに記載のノズル装置。
【請求項６】
前記放水角制御手段は、各ノズルチップ群のノズルチップの放水角を連動して変化させることを特徴とする請求項１ないし請求項５のいずれか１つに記載のノズル装置。
【請求項７】
前記放水角制御手段の第２の操作部は、
前記伝動部材を内装して設けられ、回動可能に設けられた筒状の回転リングと、
前記伝動部材を内装して設けられ、前記伝動部材に対して前記回転リングを回動可能に係止する係止部材を備えたことを特徴とする請求項１ないし請求項６のいずれか１つに記載のノズル装置。    
【請求項８】
前記ノズルチップは射出側の流路が中心軸線方向と半径方向外側との間で傾斜自在に前記放水部材に設けられ、
前記回転リングによる回動を前記ノズルチップに伝達して前記ノズルチップの射出側の流路を傾斜させる傾斜機構を備えたことを特徴とする請求項７に記載のノズル装置。  
【発明の詳細な説明】
【技術分野】
【０００１】
本発明は、放水用のノズル装置であって、特に消火用の放水を行うノズル装置に関する。
【背景技術】
【０００２】
従来、消火用等の放水を行うためのノズル装置として、放水の射程が長い水流状の放水と、消火面積を広くするために放水角を拡げる噴霧状の放水を行うことが可能なノズル装置が用いられてきた。水流状の放水は、射程が長いが消火面積が狭く、噴霧放水は、消火面積は広いが射程が短いという問題があった。
【０００３】
そこで、放水の射程が長く放水面積も確保できるノズル装置として、外方に傾斜して設けられた複数の噴射ノズルを備えた多口ノズル装置が提案されてきた。（例えば、特許文献１、２など）
【０００４】
しかし、上述のノズル装置では、それぞれの噴射ノズルの傾斜角は固定されているため、消火活動中に放水角を変化させて消火対象に合わせて放水面積を変化させることはできなかった。
【０００５】
一方、特許文献３には、複数の可動放水部材を設けるとともに、可動放水部材を開く方向又は収束する方向へと角度を変更及び固定可能とする角度調整装置とを備え、角度調整装置により、可動放水部材の角度を変更させ、消火対象物に対する放水面積を変えることのできる消火用放水ノズル装置が開示されている。
【先行技術文献】
【特許文献】
【０００６】
【特許文献１】特開２００９−２９１６９９号公報
【特許文献２】特開２０１３−２５２２１５号公報
【特許文献３】特開２０１２−１３５４６０号公報
【発明の概要】
【発明が解決しようとする課題】
【０００７】
しかし、上述の放水用ノズル装置は、消火活動において制御することが重要である放水量の制御を有効に行うことができないという問題があった。
【０００８】
放水量の制御は、水源が河川や消火栓などではなくタンクなどのように水量が有限であり、流量を絞って放水時間を確保したい場合や消火後期で流量を絞りたい場合などに有効である。
【０００９】
そこで、本発明は、簡単な操作で、放水角と放水量とをそれぞれ制御することができるノズル装置を提供することを目的とする。
【課題を解決するための手段】
【００１０】
上記目的を達成するため、請求項１に記載の発明では、給水源と接続され、給水源から供給される水を放水手段に給水する主流路を備えた給水手段と、複数のノズルチップと、前記給水手段から供給される水を前記ノズルチップから放水する放水手段と、前記複数のノズルチップからの放水の放水角を制御する放水角制御手段と、を備え、前記放水手段は、前記複数のノズルチップから選択されたノズルチップにより複数のノズルチップ群を形成し、各ノズルチップ群に連通する放水流路が前記給水手段に面して開口するように形成された第１のボディを備え、前記放水手段を回動により操作する第１の操作部と、前記放水角制御手段を回動により操作する第２の操作部とが、前記給水手段の中心軸線の軸方向に配設され、それぞれが当該中心軸線を中心に独立で回動可能に構成されており、前記中心軸線周りに前記第１の操作部を回動させることにより前記第１のボディを回動し、前記ノズルチップ群から前記主流路と連通するノズルチップ群を選択することにより、前記放水手段に供給する水の流量を調節可能であり、前記中心軸線周りに前記第２の操作部を回動させることにより放水角を制御可能である、という技術的手段を用いる。ここで、「中心軸線」の軸方向は、放水角が０°のときの放水方向と同方向である。
【００１１】
請求項２に記載の発明では、請求項１に記載のノズル装置において、前記給水手段は、前記給水源と接続され、給水の主流路を形成する給水部材と、前記給水部材の射出側の端部に接続され、前記主通路と連通して前記各ノズルチップ群に対応して水を供給する給水流路が形成された第２のボディと、を備え、前記放水手段は、前記第１の操作部として、一端に前記第１のボディが接続される筒状に形成され、前記第１のボディを前記中心軸線周りに回動可能に構成され、前記給水手段を覆って設けられる伝動部材と、前記伝動部材の他端に係止し、前記伝動部材を回動させるための回動部材と、を備え、前記給水手段及び前記放水手段は、前記回動部材により前記伝動部材を回動させ、前記第１のボディの給水側の面を前記第２のボディの射出側の面に対して液密的に摺動して回動可能に構成され、前記給水流路と連通する前記放水流路を選択することにより前記主流路に連通するノズルチップ群を選択可能に構成されている、という技術的手段を用いる。
【００１２】
請求項３に記載の発明では、請求項２に記載のノズル装置において、前記回動部材は、前記伝動部材の他端に、回転方向に係止した状態で前記伝動部材に対して回動不可であり、前記中心軸線の射出側へ前進または給水側に後退可能に取り付けられており、前記主流路に連通する所望のノズルチップ群を選択するために、前記回動部材の前進及び後退と回動とを組み合わせた操作の位置決めを行う位置決め部を備えた、という技術的手段を用いる。
【００１３】
請求項４に記載の発明では、請求項１ないし請求項３のいずれか１つに記載のノズル装置において、前記複数のノズルチップ群は、前記複数のノズルチップを同心円状に配置し、同一の同心円上に配置されたノズルチップによりそれぞれ形成されている、という技術的手段を用いる。
【００１４】
請求項５に記載の発明では、請求項１ないし請求項４のいずれか１つに記載のノズル装置において、前記放水角制御手段の前記第２の操作部による回動を各ノズルチップに伝達することにより、各ノズルチップの射出側の流路が前記中心軸線に対して傾斜する傾斜角を制御する、という技術的手段を用いる。
【００１５】
請求項６に記載の発明では、請求項１ないし請求項５のいずれか１つに記載のノズル装置において、前記放水角制御手段は、各ノズルチップ群の放水角を連動して変化させる、という技術的手段を用いる。
【００１６】
請求項７に記載の発明では、請求項１ないし請求項６のいずれか１つに記載のノズル装置において、前記放水角制御手段の第２の操作部は、前記伝動部材を内装して設けられ、回動可能に設けられた筒状の回転リングと、前記伝動部材を内装して設けられ、前記伝動部材に対して前記回転リングを回動可能に係止する係止部材を備えた、という技術的手段を用いる。
【００１７】
請求項８に記載の発明では、請求項７に記載のノズル装置において、前記ノズルチップは射出側の流路が中心軸線方向と半径方向外側との間で傾斜自在に前記放水部材に設けられ、前記回転リングによる回動を前記ノズルチップに伝達して前記ノズルチップの射出側の流路を傾斜させる傾斜機構を備えた、という技術的手段を用いる。
【発明の効果】
【００１８】
請求項１に記載の発明によれば、ノズル装置は、独立で回動可能な放水手段と放水角制御手段とを備えており、放水手段の第１の操作部を給水手段の中心軸線周りに回動させることにより、放水を行うノズルチップ群と放水を行わないノズルチップ群とを選択し、それらの組み合わせにより放水手段に供給する水の流量を調節して放水量を制御することができる。また、放水角制御手段の第２の操作部を給水手段の中心軸線周りに回動させることにより、放水角を制御することができる。これにより、簡単な操作で、例えば、消火活動において制御することが有効である放水角と放水量とをそれぞれ制御することができる。中心軸線の軸線方向に給水手段と放水手段を配設し、給水手段の中心軸線の外方向に放水手段の第１の操作部と放水角制御手段の第２の操作部と、を配設したので、全体的にコンパクトに構成される。
【００１９】
請求項２に記載の発明によれば、ノズル装置は、伝動部材及び回動部材を備えているので、回動部材により伝動部材を回動させることにより、放水量の調節を行うことができる。
【００２０】
請求項３に記載の発明によれば、回動部材と位置決め部材との組み合わせにより、確実に主流路に連通する所望のノズルチップ群を選択することができる。
【００２１】
請求項４に記載の発明によれば、ノズルチップ群でノズルが同心円上に配置されているので、放水が円錐面状になり、中抜けすることなく万遍なく水膜を張ることができる。  
【００２２】
請求項５に記載の発明によれば、放水角制御手段の回動を各ノズルチップに伝達することにより、各ノズルチップの射出側の流路が放水手段の中心軸線に対して傾斜する傾斜角を制御して各ノズルチップの放水角を連続して変化させることができる。
【００２３】
請求項６に記載の発明によれば、各ノズルチップ群の放水角を連動して変化させることができるので、第２の操作部を一度操作するだけでより好ましい放水形態とすることができる。
【００２４】
請求項７に記載の発明によれば、放水角制御手段は、回転リングと、伝動部材に対して回転リングを回動可能に係止する係止部材と、を備えているので、通常の操作で回転リングがノズル装置から離脱することがない。
【００２５】
請求項８に記載の発明によれば、回転リングを回動させることによりノズルチップの射出側の流路を中心軸線方向と半径方向外側との間で傾斜させて、放水角を制御することができる。
【図面の簡単な説明】
【００２６】
【図１】ノズル装置の構成部材の斜視説明図である。図１（Ａ）はノズル装置の外観を構成する部材、図１（Ｂ）は主に内装される部材の説明図である。
【図２】ノズル装置の構造を示す説明図である。図２（Ａ）は上面説明図、図２（Ｂ）はＡ−Ａ矢視断面説明図である。
【図３】給水部材の構造を示す説明図である。図３（Ａ）は上面説明図、図３（Ｂ）はＡ−Ａ矢視断面説明図である。
【図４】給水ボディの構造を示す説明図である。図４（Ａ）は上面説明図、図４（Ｂ）はＡ−Ａ矢視断面説明図、図４（Ｃ）は底面説明図である。
【図５】ノズルチップの構造を示す説明図である。図５（Ａ）、（Ｄ）、（Ｇ）は側面説明図、図５（Ｂ）、（Ｅ）、（Ｈ）は断面説明図、図５（Ｃ）、（Ｆ）、（Ｉ）は上面説明図である。
【図６】放水ボディの構造を示す説明図である。図６（Ａ）は上面説明図、図６（Ｂ）はＡ−Ａ矢視断面説明図、図６（Ｃ）は底面説明図である。
【図７】伝動部材の構造を示す説明図である。図７（Ａ）は本体部の上面説明図、図７（Ｂ）はＡ−Ａ矢視断面説明図、図７（Ｃ）は係止部の構造を示す説明図である。
【図８】回動部材の構造を示す説明図である。図８（Ａ）は側面説明図、図８（Ｂ）は下面説明図、図８（Ｃ）はＡ−Ａ矢視断面説明図である。
【図９】回転リングの構造を示す説明図である。図９（Ａ）は上面説明図、図９（Ｂ）はＡ−Ａ矢視断面説明図、図９（Ｃ）は底面説明図である。
【図１０】係止部材の構造を示す説明図である。図１０（Ａ）は上面説明図、図１０（Ｂ）はＡ−Ａ矢視断面説明図、図１０（Ｃ）は底面説明図である。
【図１１】その他の構成部材の構造を示す説明図である。図１１（Ａ）は押さえ板の平面説明図、図１１（Ｂ）は保護板の平面説明図、図１１（Ｃ）は固定リングの断面説明図、図１１（Ｄ）はバンパの断面説明図である。
【図１２】放水量の制御方法の説明図である。
【図１３】空気吸引孔を備えたノズルチップの構造を示す断面説明図である。
【図１４】その他の実施形態における放水角制御手段の構成を示す説明図である。図１４（Ａ）は断面説明図、図１４（Ｂ）は上面説明図である。
【発明を実施するための形態】
【００２７】
本発明のノズル装置について、図１−１１を参照して説明する。ここで、図２（Ａ）において、ノズルチップ２１、２２、２３及び回転リング３１の位置関係をわかりやすくするために、押え板４１、保護板５１及び固定リング６１の図示を省略した。
【００２８】
（ノズル装置の構造）
ノズル装置１は給水源から供給される水を給水する主流路を備えた給水手段１０と、給水手段１０から供給する水の流量を調節し、複数のノズルチップから例えば消火用の放水を行う放水手段２０と、複数のノズルチップからの放水の中心軸線に対する放水角を制御する放水角制御手段３０と、を備えている。ノズル装置１における中心軸線は図２のＣであり、中心軸線の軸方向は、放水角が０°のときの放水方向と同方向である。ここで、水がノズル装置１から射出する中心軸線方向を射出側、水をノズル装置１に給水する方向を給水側という。
【００２９】
給水源から供給される水を放水手段２０に導入する給水手段１０は、給水部材１１と、給水ボディ１２と、を備えている。
【００３０】
給水部材１１は、内部に主流路１１ｃが形成されている本体部１１ａと、給水源に接続可能に構成され、本体部１１ａよりも大径に形成された台座部１１ｂと、を備えている。台座部１１ｂには、後述する回動部材２６の位置決めを行うための位置決め部材である位置決めピン１１ｄが径方向に突出して設けられている。また、本体部１１ａの射出側の先端部外周にはネジ溝１１ｅが、台座部１１ｂの内周には給水源と接続するためのネジ溝１１ｆが形成されている。台座部１１ｂの内部にはパッキング１１ｇが設けられている。
【００３１】
給水ボディ１２は、給水部材１１から後述する放水ボディ２４に対して給水するための部材であり、給水部材１１の射出側の先端に後述する方法で取り付けられている。給水ボディ１２は、外形は中心軸線に対する回転体に形成されている。
【００３２】
給水ボディ１２には、給水側に給水室１２ａが形成されており、給水室１２ａから射出側面１２ｂに向かって放水ボディ２４に対して給水可能な給水孔１２ｃ、１２ｄ、１２ｅが貫通して形成されている。
【００３３】
給水孔１２ｃは、中心軸線方向に形成されており、その出口は後述する放水孔２４ｃに連通する位置に円形に開口している。
【００３４】
給水孔１２ｄは径方向外側に傾斜して形成され、その出口は射出側面１２ｂにおいて１２０°おきに３箇所で円形に開口し、後述する放水孔２４ｄに給水可能な位置に開口している。
【００３５】
給水孔１２ｅは径方向外側に給水孔１２ｄよりも更に傾斜して形成され、その出口は射出側面１２ｂにおいて１２０°おきに３箇所で周方向（回動方向）に長く形成された長穴状に開口し、後述する放水孔２４ｅに給水可能な位置に開口している。
【００３６】
給水ボディ１２の外周部には、後述する伝動部材２５の段差部２５ｄに係止可能な係止部１２ｆが形成されている。また、射出側面１２ｂには、伝動部材２５の回動中心となる凸部１２ｇが形成されている。給水ボディ１２は、筒部の内側に形成されたネジ溝１２ｈで、給水部材１１のネジ溝１１ｅに外嵌されて一体的に固定される。
【００３７】
放水手段２０は、複数のノズルチップ２１、２２、２３と、ノズルチップ２１〜２３が配設される放水ボディ２４と、伝動部材２５と、回動部材２６と、を備えている。
【００３８】
本実施形態では、放水ボディ２４に、中心に１個のノズルチップ２１、内側の同心円上に等間隔で３個のノズルチップ２２、外側の同心円上に等間隔で６個のノズルチップ２３が配置されている。各ノズルチップは、同一の同心円上に配置されたノズルチップにより複数のノズルチップ群を形成する。ここでは、３個のノズルチップ２２がノズルチップ群２２Ａを、６個のノズルチップ２３がノズルチップ群２３Ａを形成する。  
【００３９】
ノズルチップ２１は、外観が円柱状の本体部２１ａの外周部に歯車部２１ｂを備え、本体部２１ａの内部には射出孔２１ｃが形成されている。射出孔２１ｃは本体部１１ａと同軸方向に形成されている。
【００４０】
ノズルチップ２２は、外観が円柱状の本体部２２ａの外周部に歯車部２２ｂを備え、本体部２２ａの内部には射出孔２２ｃが形成されている。射出孔２２ｃは屈曲して形成されており、本体部２２ａの軸方向に対し、給水側では約４°、射出側では約６°傾斜している。  
【００４１】
ノズルチップ２３は、外観が円柱状の本体部２３ａの外周部に歯車部２３ｂを備え、本体部２３ａの内部には射出孔２３ｃが形成されている。射出孔２３ｃは屈曲して形成されており、本体部２３ａの軸方向に対し、給水側では約５°、射出側では約１０°傾斜している。  
【００４２】
放水ボディ２４は、外観が円柱状に形成されており、給水側が給水ボディ１２の射出側面１２ｂとの摺動面２４ａとして形成されている。
【００４３】
放水ボディ２４の内部には、摺動面２４ａと射出側面２４ｂとを連通し、射出側面２４ｂで円形に開口した放水孔２４ｃ、２４ｄ、２４ｅが形成されている。放水孔２４ｃ、２４ｄ、２４ｅには、ノズルチップ２１、２２、２３を液密に接続できるようにＯリング２４ｉがそれぞれ設けられている。
【００４４】
放水孔２４ｃは、その摺動面２４ａの開口が給水ボディ１２の給水孔１２ｃと連通するように中心軸線方向に形成されている。
【００４５】
３つの放水孔２４ｄは、摺動面２４ａではそれぞれ２孔の組として３箇所で開口（２４ｄａ）しており、射出側面２４ｂでは内側の同心円上の３箇所で開口（２４ｄｂ）している。摺動面２４ａで２孔が開口している場合は、射出側面２４ｂに至る間で合流し、１つの流路となり、開口（２４ｄｂ）で一つの出口となる。ここで、放水孔２４ｄの２つの開口２４ｄａを連結させて周方向（回動方向）に長く形成された長穴状に形成することもできる。  
【００４６】
６つの放水孔２４ｅは、摺動面２４ａでは周方向（回動方向）に長く形成された長穴状に３箇所で開口（２４ｅａ）しており、射出側面２４ｂに至る間で分岐しそれぞれ２つの流路となる。そして、射出側面２４ｂでは外側の同心円上の６箇所で開口（２４ｅｂ）している。挿入部２４ｇには、外周には周方向伸びる周溝２４ｆと、縦溝２４ｈとが、いずれも周方向に等間隔に３個ずつ形成されている。
【００４７】
ノズルチップ２１は、放水ボディ２４の射出側面２４ｂから歯車部２１ｂと本体部２１ａの一端の先端部２１ｄが突出した状態で放水孔２４ｃに回転可能に挿通されて配置されている。
【００４８】
ノズルチップ２２は、放水ボディ２４の射出側面２４ｂから歯車部２２ｂと本体部２２ａの一端の先端部２２ｄが突出した状態で放水孔２４ｄに回転可能に挿通されて配置されている。ここで、放水孔２４ｄがノズルチップ２２の回転中心となり、射出孔２２ｃの射出側が回転中心に対して傾斜している状態で配置されている。
【００４９】
ノズルチップ２３は、放水ボディ２４の射出側面２４ｂから歯車部２３ｂと本体部２３ａの一端の先端部２３ｄが突出した状態で放水孔２４ｅに回転可能に挿通されて配置されている。ここで、放水孔２４ｅがノズルチップ２３の回転中心となり、射出孔２３ｃの射出側が回転中心に対して傾斜している状態で配置されている。ここで、ノズルチップ２２、２３は、それぞれの射出孔２２ｃ、２３ｃの射出側の傾斜方向を全て外向き、または内向き、などのように傾斜方向を揃えてそれぞれの開口（２４ｄｂ、２４ｅｂ）に挿入されて配置される。
【００５０】
ノズルチップ２２とノズルチップ２３とは、１つのノズルチップ２２の歯車部２２ｂが、隣接する２つのノズルチップ２３の歯車部２３ｂとそれぞれ噛み合うように配置されている。これにより、ノズルチップ２２と２つのノズルチップ２３とは、連動して回転する。本実施形態では、ノズルチップ２２の歯車部２２ｂはノズルチップ２１の歯車部２１ｂと噛み合うように配置されているが、ノズルチップ２１の歯車部２１ｂと噛み合う必要はなく、更に、ノズルチップ２１が歯車部２１ｂを有していない構成を採用することもできる。
【００５１】
伝動部材２５は、筒状の本体部２５ａの射出側の端部の取付部２５ｂに放水ボディ２４が取り付けられ、放水ボディ２４は伝達部材２５とともに中心軸線方向を中心に回動可能に構成されている。
【００５２】
取付部２５ｂには３本の縦溝２５ｆが周方向に等間隔に形成されており、この縦溝２５ｆにピンＰ１が挿入されるとピンＰ１の一部が縦溝２５ｆから中心方向に露出する。放水ボディ２４を伝  動部材２５に取り付けるときには、ピンＰ１の露出部が放水ボディ２４の縦溝２４ｈに嵌入して、伝動部材２５が放水ボディ２４に対して回動不可の状態で一体的に接続される。
【００５３】
ピン穴２５ｇは２つ一組で３組６個の穴として形成されており、止めピンＰ２を一組のピン穴に挿入すると、ピンＰ２の長手方向の中間部は取付部２５の内周に突出する。この突出部が放水ボディ２４の周溝２４ｆに入り込み放水ボディ２４と伝動部材２５の軸方向で分離不可の状態で一体的に接続される。
【００５４】
伝動部材２５の給水側の外周面には、回動部材２６の係止部２６ａに係止するための切欠き状の係止部２５ｃが１２０°おきに３箇所形成されている。この係止により伝動部材２５と回動部材２６を一体的に回動させることができる。
【００５５】
伝動部材２５の内周面には、給水ボディ１２の係止部１２ｆが係止される段差部２５ｄが設けられており、Ｏリング２５ｈ、２５ｉにより給水ボディ１２を液密に内装可能に形成されている。これにより、放水ボディ２４が給水ボディ１２に対し摺動しながら同軸で回動可能な状態で、給水手段１０に対して放水手段２０を取り付けた一体的な形状として組み立てることができる。
【００５６】
また、段差部２５ｄより給水側には、本体部２５ａが縮径されて係止部材３２を係止するための段差部２５ｅが形成されている。
【００５７】
回動部材２６は、伝動部材２５を回動させるための部材であり、リング状に形成され、伝動部材２５の下端部外周に被せて設けられる。ここで、伝動部材２５及び回動部材２６が「第１の操作部」に相当する。
【００５８】
回動部材２６は、内周部に伝動部材２５の係止部２５ｃに係止し、伝動部材２５を中心軸線方向を中心に回動させる係止部２６ａが係止部２５ｃに対応した形状で内側に突出して形成されている。ここで、伝動部材２５の係止部２５ｃは軸方向に回動部材２６の係止部２６ａの軸方向の高さ以上に形成されているので、回動部材２６は伝動部材２５に対し回転方向には係止した状態で回動不可であり、軸方向、即ち射出側へ前進または給水側に後退可能である。
【００５９】
また、回動部材２６の給水側端部には、給水部材１１の位置決めピン１１ｄに係合可能な位置決め部である位置決め溝２６ｂ、２６ｃ、２６ｄが形成されている。位置決め溝２６ｂ、２６ｃ、２６ｄの位置は、ノズルチップ群を選択するときの放水ボディ２４の回動量、すなわち、伝動部材２５の回動量に対応している。
【００６０】
放水角制御手段３０は、回転リング３１、係止部材３２、ノズルチップ２２、２３により構成される。
【００６１】
回転リング３１は、放水ボディ２４に外周部から被せられ、回動可能に設けられた筒状の部材であり、先端部の内周に歯車部３１ａが設けられている。歯車部３１ａは、ノズルチップ２３の歯車部２３ｂとそれぞれ噛み合うように形成されており、回転リング３１を回転させることにより、歯車部２３ｂを介してノズルチップ２３、更にノズルチップ２２を回転させることができる。回転リング３１は、伝動部材２５及び回動部材２６と、中心軸線の軸方向に配設されている。ここで、回転リング３１が「第２の操作部」に相当する。また、歯車部３１ａ及び歯車部２２ｂ、２３ｂ、ノズルチップ２２,２３の傾斜した射出孔２２Ｃ、２３Ｃが、ノズルチップ２２,２３からの放水を放水角度0°（ストレート放水形態）と外向き放水（シャワー放水形態）との間で変化できる「傾斜機構」に相当する。
【００６２】
この回動によりノズルチップ２２、２３は連動して回動する。ここで、ノズルチップ２２、２３はそれらの傾斜孔を全部外向き等のように方向が揃えてあるので、ノズルチップ２２、２３の傾斜孔が全部外向きになったときには放水角が最大となるシャワー放水形態とすることができる。また、全部内向きとなったときには、放水角が０°のストレート放水形態とすることができる。
【００６３】
段部３１ｄは、後述するバンパ７１の下端部７４が当接する部位である。給水側底面に設けられたネジ孔３１ｂは、後述する係止部材３２とネジＮにより連結するものである。射出側外側面に形成されたネジ溝３１ｃは固定リング６１との接続に用いられる。
【００６４】
係止部材３２は、回転リング３１の給水側に係止部材３２の孔部３２ａを貫通して回転リング３１のネジ孔３１ｂにネジ込まれるネジＮにより取り付けられ、伝動部材２５の外側に配置されている筒状の部材である。係止部材３２は、その段部３２ｅが伝動部材２５の段差部２５ｅに係止され、伝動部材２５に対して回転リング３１を回動可能に係止する。これにより、回転リング３１を放水ボディ２４に対して回動可能な状態で、放水手段２０に対して放水角制御手段３０を取り付けた一体的な形状として組み立てることができる。
【００６５】
係止部材３２は、給水側の端部に、回動部材２６を給水部材１１の台座部１１ｂに向かって付勢する付勢ピン３２ｃを備えている。この付勢ピン３２ｃは回動部材２６の段部２６ｅに載置される。付勢ピン３２ｃは係止部材３２の胴部に周方向に等間隔に形成された長孔３２ｂの内部に収納されたスプリング３２ｄにより給水側に向かって突出するように付勢されている。これにより、回動部材２６を、その位置決め溝２６ｂ、２６ｃ、２６ｄのいずれかに給水部材１１の位置決めピン１１ｄが係止した状態に位置決めして維持することができるので、回動部材２６は回動できない。回動部材２６を回動させる時は、回動部材２６をスプリング３２ｄに抗して付勢ピン３２ｃを押し込んで軸方向で射出側に移動させて位置決め溝２６ｂ、２６ｃ、２６ｄと位置決めピン１１ｄの係止を解き、回動させる。
【００６６】
ノズル装置１は、上述の構成の他、押え板４１、保護板５１、固定リング６１、バンパ７１などを備えている。  
【００６７】
押え板４１は、例えば樹脂からなり、放水ボディ２４と略同径の円板状の部材であり、ノズルチップ２１、２２、２３の先端部２１ｄ、２２ｄ、２３ｄの一部が突出する開口部４２が形成されている。押え板４１の裏面はノズルチップ２１、２２、２３の歯車部２１ｂ、２２ｂ、２３ｂの射出側の部位に当接して、押え板４１は放水ボディ２４に取り付けられており、ノズルチップ２１、２２、２３が放水ボディ２４の放水孔２４ｃ、２４ｄ、２４ｅから離脱することを防止する。押え板４１はその取付け開口４３を通り放水ボディ２４のネジ孔２４ｋにネジ止めされるネジ（図示せず）で固定される。
【００６８】
保護板５１は、押え板４１より大径に形成されている金属製の円板状の部材であり、ノズルチップ２１、２２、２３の先端部２１ｄ、２２ｄ、２３ｄの一部が突出する開口部５２が形成されている。保護板５１は、押え板４１を覆って固定リング６１の開口段部６２で押さえられて配設されている。
【００６９】
固定リング６１は、リング状の部材であり、開口段部６２、内周ネジ部６３が形成されている。開口段部６２を保護板５１上方から被せて内周ネジ部６３を回転リング３１のネジ部３１ｃに外嵌螺合させることにより、固定リング６１は回転リング３１に固定される。
【００７０】
バンパ７１は、ゴム製で、消火のときに家屋などに衝突する衝撃からノズル装置１を保護するためのリング状の部材であり、開口内周７２に段差７３が形成されている。固定リング６１が回転リング３１に固定されるときに、固定リング６１が開口内周７２に嵌り、段差７３で停止し、更に固定リング６１を回転リング３１にねじ込んで固定する。バンパ７１は、下端部７４が回転リング３１の段差部３１ｄに当接し、係止される。
【００７１】
（放水量の制御）
放水量の制御について、図１２を参照して説明する。図１２（Ａ）の左図は放水ボディ２４の摺動面２４ａを射出側から見た平面図であり、右図は給水ボディ１２の射出側面１２ｂを射出側から見た透視図である。図１２（Ｂ）−（Ｄ）において、左図に放水ボディ２４の摺動面２４ａと給水ボディ１２の射出側面１２ｂとを重ねて示し、右図に給水ボディ１２の射出側面１２ｂを示す。ここで、給水孔と放水孔との位置関係がわかりやすいように、簡単のため、給水孔及び放水孔は、連通状態を説明するために必要なもの以外は図示を省略する。また、連通状態をわかりやすくするために、給水孔１２ｄ及び給水孔１２ｅにハッチングを施している。
【００７２】
ノズル装置１による放水量の制御は、放水を行うノズルチップ群を選択することにより行う。ここでは、すべてのノズルチップ２１、２２、２３から放水されている状態から、放水量を減少させる場合について説明する。
【００７３】
すべてのノズルチップ２１、２２、２３（計１０個）から放水されているときは、図１２（Ｂ）に示すように、給水孔１２ｃに対して放水孔２４ｃが面して連通し、中心のノズルチップ２１に水が供給され、給水孔１２ｄに対して放水孔２４ｄが面して連通し、３個のノズルチップ２２からなるノズルチップ群２２Ａに水が供給され、給水孔１２ｅに対して放水孔２４ｅが面して連通し、６個のノズルチップ２３からなるノズルチップ群２３Ａに水が供給されている。
【００７４】
このとき、回動部材２６は、射出側に向かって一番左側に回動された状態であり、位置決めピン１１ｄには、位置決め溝２６ｄが係止されている。つまり、位置決め溝２６ｄの位置が最も放水量が多い位置となる。
【００７５】
放水を行うノズルチップ群の選択は以下の手順で行う。まず、回動部材２６を射出側に移動させ、位置決めピン１１ｄによる位置決め溝２６ｄの係止を解放する。これにより、回動部材２６を回動可能な状態とする。
【００７６】
次に、回動部材２６を右方向に回動させた後に、位置決めピン１１ｄに位置決め溝２６ｃが係止された状態とする。
【００７７】
このとき、図１２（Ｃ）に示すように、給水孔１２ｃに対して放水孔２４ｃが面して連通し、中心のノズルチップ２１に水が供給され、給水孔１２ｅに対して放水孔２４ｅが面して連通し、ノズルチップ群２３Ａに水が供給されている。一方、給水孔１２ｄに対して放水孔２４ｄが面しなくなるため、ノズルチップ群２２Ａには水が供給されなくなる。つまり、中心のノズルチップ２１及び外周のノズルチップ群２３Ａの計７個のノズルチップから放水が行われることとなり、放水量を減少させることができる。
【００７８】
更に、回動部材２６を右方向に回動させた後に、位置決めピン１１ｄに位置決め溝２６ｂが係止された状態とする。
【００７９】
このとき、図１２（Ｄ）に示すように、給水孔１２ｃに対して放水孔２４ｃが面して連通し、中心のノズルチップ２１に水が供給され、給水孔１２ｄに対して放水孔２４ｄが面して連通し、ノズルチップ群２２Ａに水が供給されている。一方、給水孔１２ｅに対して放水孔２４ｅが面しなくなるため、ノズルチップ群２３Ａには水が供給されなくなる。つまり、中心のノズルチップ２１及び内周のノズルチップ群２２Ａの計４個のノズルチップから放水が行われることとなり、放水量を更に減少させることができる。
【００８０】
このように、回動部材２６の前進及び後退と回動とを組み合わせた操作により、回動部材２６により伝動部材２５を回動させ、放水ボディ２４の摺動面２４ａ（給水側面）を給水ボディ１２の射出側面１２ｂに対して摺動して回動し、給水部材１１の主流路１１ｃと連通するノズルチップ群を選択することにより、水の流量を調節可能である。
【００８１】
上述の実施形態では、放水量を減少させる場合について説明したが、どの放水状態から放水を開始してもよく、放水量の増加、減少は適宜選択することができる。
【００８２】
ノズル装置１は、射出側に向かうほど水の流路が狭くなるようにより構成されているため、射出側に向かうほど流速が早くなる。これにより、放水量を減少させても十分な放水距離を維持することができる。
【００８３】
また、ノズルチップ群ではノズルチップが同心円上に配置されているので、放水が円錐面状になり、中抜けすることなく万遍なく水膜を張ることができる。  
【００８４】
（放水角の制御）
ノズル装置１による放水角の制御は、ノズルチップの射出孔の向きを変更することにより行う。ここでは、すべてのノズルチップ２１、２２、２３の射出側の射出孔が中心軸線方向と同方向を向いており、放水角０°で放水している状態から、放水角を増大させる動作について説明する。
【００８５】
回転リング３１を回動させると、歯車部３１ａの回転がノズルチップ２３の歯車部２３ｂに伝達され、歯車部２３ｂを介してノズルチップ２３が、更に歯車部２２ｂを介してノズルチップ２３に連動してノズルチップ２２が回転する。
【００８６】
ノズルチップ２３の射出孔２３ｃの射出側の部分は、ノズルチップ２３の回転軸に対して傾斜しており、ノズルチップ２３の回転に伴い射出孔２３ｃの傾斜角が連続的に変化しながら外方に傾斜することにより、ノズルチップ２３から放出される水は、放水角が０°で中心軸線と平行なストレート状態から、放水角が増大し中心軸線から広がるシャワー状態となる。
【００８７】
ノズルチップ２２の射出孔２２ｃの射出側の部分は、ノズルチップ２２の回転軸に対して傾斜しており、ノズルチップ２２の回転に連動して傾斜角が連続的に変化しながら外方に傾斜することにより、ノズルチップ２２から放出される水は中心軸線と平行なストレート状態から、中心軸線から広がるシャワー状態となる。
【００８８】
本実施形態では、ノズルチップ２１からの中心軸線方向の放水が継続されたままで、放水角を０°〜３２°まで連続的に変化させることができる。ここで、最大放水角はノズルチップ２３によるものである。
【００８９】
ここで、ノズルチップ群２２Ａとノズルチップ群２３Ａとによる放水角は、連動して変化させることができるので、回転リング３１を一度操作するだけでより好ましい放水形態とすることができる。ここで、放水量が最大となるときに、ノズルチップ群２２Ａ、２３Ａからの放水角を０°〜３２°まで連続的に変化させることができ、放水形態をストレート状態／シャワー状態の切り換えを行うことができる。ノズルチップ２１及びノズルチップ群２２Ａからの放水、ノズルチップ２１及びノズルチップ群２３Ａからの放水のときも、それぞれ放水形態をストレート状態／シャワー状態の切り換えを行うことができる。このように、ノズル装置１によれば、放水角と放水量とを独立で制御することができる。
【００９０】
（変更例）
ノズルチップの数は、任意に設定することができる。また、ノズルチップの配置は同心円上でない構成を採用することができる。
【００９１】
ノズルチップの傾斜機構としての射出孔の傾斜方法として、先端部自体を傾斜させたり、各種構成を採用することができる。  
【００９２】
放水ボディの放水孔と、給水ボディの給水孔とは、放水するノズルチップ群を適切に選択することができれば、形状、配置は適宜設定することができる。
【００９３】
放水角制御手段の傾斜機構として、回転リングの歯車部とノズルチップの歯車部との組み合せの例を示したが、これに限定されるものではなく、例えば、放水ボディにノズルチップの歯車部と組み合わされる歯車部を設けたり、タイミングベルトを用いた構成などを採用することができる。  
【００９４】
上述の実施例では、本発明のノズル装置について消火用の用途の説明をしたが、本発明のノズル装置の用途は消火用に限られず、例えば車両などの洗浄や、例えば農業用などの散水、などにも利用することができる。また、本発明のノズル装置は、水以外の液体の放射にも使用することができる。つまり、本明細書においては、「放水」とは水以外の液体、例えば、泡消化剤、等の「放水」を含むものである。
【００９５】
ノズルチップ２１、２２、２３には空気吸引孔を設けることができる。例えば、図１３に示すように、ノズルチップ２１、２２、２３に空気吸引孔２１ｆ、２２ｆ、２３ｆを設けて、ノズルチップ２１、２２、２３からの放水により空気吸引孔２１ｆ、２２ｆ、２３ｆより空気を吸引して気泡の含んだ放水とすることもできる。これらのノズルチップは放水ボディ２４の放水孔２４ｃ、２４ｄ、２４eに挿入取付けされる際に空気吸入孔２１ｆ、２２ｆ、２３ｆが放水孔に潜り込まないように、放水ボディ２４の上面よりも上方に突出した状態で取り付けられる。ここで、空気吸引孔はノズルチップの全数に設けてもよいが、内側の３個のノズルチップ２２のみ空気吸引孔２２ｆを設けたり、外側の６個のノズルチップ２３のみ空気吸引孔２３ｆを設けたりすることができる。また、外周のノズルチップ２３、内周のノズルチップ２２において、隣接する交互のノズルチップに空気吸引孔を設けてもよい。このように、空気吸引孔を有するノズルチップと空気吸引孔を有しないノズルチップとを混在させることにより、気泡の含まない放水と気泡の含んだ放水との混在した放水を行うことができる。これにより、空気吸引孔を有しないノズルチップでは放水の飛距離が得られ、空気吸引孔を有するノズルチップでは気泡放水による消火効果の向上が得られ、その混在により、両者利点が得られる。なお、中心のノズルチップ２１には空気吸引孔２１ｆを設けなく、外周、内周ノズルチップでの空気吸引孔の有無の組み合わせも考えられる。
【００９６】
また、ノズルチップを、射出孔を図５（Ｅ）、（Ｈ）のように「く」字状にしたりして乱水流を生じさせるノズルチップ（乱水流ノズルチップ）と図５（Ｂ）の様な直状孔で真直ぐ飛ぶノズルチップ（直水流ノズルチップ）の２種類とし、上記空気吸入孔の例と同じように、これらを混在させることで、直水流ノズルチップでは放水飛距離が得られ、乱水流ノズルチップでは乱流放水による消火効果の向上が得られる。この例でも、中心のノズルチップ２１は直水流ノズルチップとし、外周、内周ノズルチップでの組み合わせを採用することができる。更に、空気吸入孔の有・無と乱水流・直水流との組み合わせ、例えば乱水流ノズルチップに空気吸入孔を備えたノズルチップとすることもできる。
【００９７】
（実施形態の効果）
本発明のノズル装置１によれば、独立で回動可能な放水手段２０と放水角制御手段３０とを備えており、放水手段２０を給水手段１０の中心軸線周りに回動させることにより、放水を行うノズルチップ群と放水を行わないノズルチップ群とを選択し、それらの組み合わせにより放水手段２０に供給する水の流量を調節して放水量を制御することができる。また、放水角制御手段３０を給水手段１０の中心軸線周りに回動させることにより、放水角を制御することができる。これにより、簡単な操作で、例えば、消火活動において制御することが有効である放水角と放水量とをそれぞれ制御することができる。また、中心軸線の軸線方向に給水手段１０と放水手段２０を配設し、給水手段１０の中心軸線の外方向に、放水手段２０の操作部である伝動部材２５、回動部材２６及び放水角制御手段３０の操作部である回転リング３１と、を配設したので、全体的にコンパクトに構成される。
【００９８】
（その他の実施形態）
放水角制御手段、傾斜機構のその他の実施形態を図１４に示す。  
【００９９】
放水ボディ１２４は、本体部１２４ａとカバー１２４ｂとを備えており、本体１２４ａの中央の放水孔１２４ｃにはノズルチップ１２１が取り付けられている。放水孔１２４ｄの出口には半球状凹部１２４ｅが形成されている。  
【０１００】
ノズルチップ１２３は、各ノズルチップのうち、最外周の同心円上に６つ設けられており、球体部１２３ａにノズル筒部１２３ｂが取りつけられ、内部に流路を有する構造を有している。球体１２３ａの下半部は、放水ボディ１２４の半球状凹部１２４ｅに嵌め込まれている。ここで、ノズルチップ１２２はノズルチップ１２３より内側に同心円上に３つ設けられ、ノズルチップ１２３と同様の構成を備え、球体１２２ａの下半部は放水ボディ１２４の半球状凹部に嵌め込まれている。
【０１０１】
カバー１２４ｂは、ノズルチップ１２３の球体部１２３ａの上半部を押さえてノズル筒部１２３ｂが露出するとともに、本体部１２４ａから離脱することがないように支持する。これにより、ノズルチップ１２３は、球体部１２３ａが半球状凹部１２４ｅで回動し、ノズル筒部１２３ｂのノズル孔方向が３６０度可変な状態で放水ボディ１２４に支持される。ここで、ノズルチップ１２２もノズルチップ１２３と同様の構成により放水ボディ１２４に支持される。  
【０１０２】
本体１２４ａとカバー１２４ｂとの間にはパッキング１２４ｆが設けられている。
【０１０３】
本体部１２４ａの上端には、円板状の方向規制板８０が取り付けられている。方向規制板８０には、ノズルチップ１２３が中心軸線方向と同方向の放水角０°の位置から半径方向外側に傾斜できる、ノズル筒部１２３ｂが貫通する方向規制溝８１が形成されている。同様に、ノズルチップ１２２の放水角０°の位置から半径方向外側に、ノズル筒部１２２ｂが貫通する方向規制溝８２が形成されている。  
【０１０４】
ノズルチップ１２２、１２３の筒部１２３ｂ、１２３ｂは、方向規制溝８２、８１に沿った半径方向外側へ傾斜可能であり、当該方向以外の動きが規制される。
【０１０５】
回転リング１３１は、放水ボディ１２４に外周部から被せられ、回動可能に設けられた筒状の部材である。回転リング１３１は「第２の操作部」に相当する。
【０１０６】
回転リング１３１には、方向規制板８０を覆って円板状の回動板９０が取り付けられている。回動板９０には、ノズルチップ１２３のノズル筒部１２３ｂが貫通するカム溝９１と、ノズルチップ１２２のノズル筒部１２２ｂが貫通するカム溝９２と、ノズルチップ１２１が貫通する孔部９３と、が形成されている。
【０１０７】
カム溝９１は、一端が、ノズルチップ１２３の向きが放水角０°のときの筒部１２３ｂの位置に対応し、外方に凸の弧を有する形状に形成されている。カム溝９２は、一端が、ノズルチップ１２２の向きが放水角０°のときの筒部１２２ｂの位置に対応し、外方に凸の弧を有する形状に形成されている。
【０１０８】
回転リング１３１を操作し、図１４（Ｂ）の右回り方向（Ａ方向）に回動させると、その回動が回動板９０のカム溝９１に伝達され、ノズルチップ１２３のノズル筒部１２３ｂがカム溝９１に沿って外方に移動しようとする。ノズル筒部１２３ｂは、方向規制板８０の方向規制溝８１により移動方向が規制されているので、半径方向外側へ傾斜する。これにより、ノズルチップ１２３のノズル筒部１２３ｂ（射出側の流路）が中心軸線方向と半径方向外側との間で傾斜自在とすることができ、放水角を連続的に変化させることができる。ノズルチップ１２２もカム溝９２及び方向規制溝８２によりノズルチップ１２３と同様に放水角を連続的に変化させることができる。つまり、ノズルチップの球体部、半球状凹部、カム溝９１及び方向規制溝８１、カム溝９２及び方向規制溝８２が「傾斜機構」に相当する。
【０１０９】
上述のように、ノズルチップの球体部、半球状凹部、カム溝などからなる傾斜機構により、    放水形態をストレート状態／シャワー状態に切り替えることができる放水角制御手段を構成することができる。    
【符号の説明】
【０１１０】
１…ノズル装置
１０…給水手段
１１…給水部材
１１ａ…本体部
１１ｂ…台座部 
１１ｃ…主流路
１１ｄ…位置決めピン
１１ｅ…ネジ溝
１１ｆ…ネジ溝
１２…給水ボディ
１２ａ…給水室
１２ｂ…射出側面
１２ｃ、１２ｄ、１２ｅ…給水孔
１２ｆ…係止部
１２ｇ…凸部
１２ｈ…ネジ溝
２０…放水手段
２１…ノズルチップ
２１ａ…本体部
２１ｂ…歯車部
２１ｃ…射出孔
２１ｄ…先端部
２１ｆ…空気吸引孔
２２…ノズルチップ
２２Ａ…ノズルチップ群
２２ａ…本体部
２２ｂ…歯車部
２２ｃ…射出孔
２２ｄ…先端部
２２ｆ…空気吸引孔
２３…ノズルチップ
２３Ａ…ノズルチップ群
２３ａ…本体部
２３ｂ…歯車部
２３ｃ…射出孔
２３ｄ…先端部
２３ｆ…空気吸引孔
２４…放水ボディ
２４ａ…摺動面
２４ｂ…射出側面
２４ｃ…放水孔
２４ｄ…放水孔
２４ｅ…放水孔
２４ｆ…周溝
２４ｇ…挿入部
２４ｈ…縦溝
２５…伝動部材
２５ａ…本体部
２５ｂ…取付部
２５ｃ…係止部
２５ｄ…段差部
２５ｅ…段差部
２５ｆ…縦溝
２５ｇ…ピン穴
２６…回動部材
２６ａ…係止部
２６ｂ、２６ｃ、２６ｄ…位置決め溝
２６ｅ…段部
３０…放水角制御手段
３１…回転リング
３１ａ…歯車部
３１ｂ…ネジ孔
３１ｃ…ネジ溝
３１ｄ…段部
３２…係止部材
３２ａ…孔部
３２ｂ…長孔
３２ｃ…付勢ピン
３２ｄ…スプリング
３２ｅ…段部
４１…押え板
４２…開口部
４３…取付け開口
５１…保護板
５２…開口部
６１…固定リング
６２…開口段部
６３…内周ネジ部
７１…バンパ
７２…開口内周
７３…段差
７４…下端部
８０…方向規制板
８１、８２…方向規制溝
９０…回動板
９１、９２…カム溝
９２…孔部
１２１…ノズルチップ
１２２…ノズルチップ
１２２ｂ…ノズル筒部
１２３…ノズルチップ
１２３ａ…球体部
１２３ｂ…ノズル筒部
１２４…放水ボディ
１２４ａ…本体部
１２４ｂ…カバー
１２４ｃ…放水孔
１２４ｄ…放水孔
１２４ｅ…半球状凹部
１２４ｆ…パッキング
１３１…回転リング
【図１】
2020120982.tif 000003
【図２】
2020120982.tif 000004
【図３】
2020120982.tif 000005
【図４】
2020120982.tif 000006
【図５】
2020120982.tif 000007
【図６】
2020120982.tif 000008
【図７】
2020120982.tif 000009
【図８】
2020120982.tif 000010
【図９】
2020120982.tif 000011
【図１０】
2020120982.tif 000012
【図１１】
2020120982.tif 000013
【図１２】
2020120982.tif 000014
【図１３】
2020120982.tif 000015
【図１４】
2020120982.tif 000016